(57)【要約】      （修正有）【課題】他用途な椅子兼寝椅子の構造を提供する。【解決手段】第二マット１２は第一マット１１及び第三マット１３と連接し、折り畳む或いは伸展して広げて使用することができ、マットの底面の適切な場所を選び、少なくとも一つの台座構造を構成する。台座構造はサポートレッグ、レッグ２３或いは調整装置２１を構え、第一マットの底面に少なくとも一つの定置部品或いはストッパー部品を設け、第二或いは第三マットに設ける台座構造を位置づけすることで、本体が椅子の形態で固定する。マット構造を伸展し、広げて使用する際、まず定置部品或いはストッパー部品の第二或いは第三マットの台座構造に設ける制限を解除すれば、第一、第二及び第三マットを展開して寝椅子の形態にすることができる。【選択図】図１
0003139261.tif 000002
【実用新案登録請求の範囲】
【請求項１】
第一マット、第二マット及び第三マットを設けるマット構造を含み、
該マット構造の第二マットは第一、第三マットと連接し、連接する場所は軸として第一、第二、第三マットを折り畳む或いは伸展して広げることができ、
該マット構造は第一、第二、第三マットの底面の適切な位置を選び、少なくとも一つの台座構造を設置し、該台座構造はマット構造及び重さを受ける役割を果たし、
該マット構造の第一マットの底面に少なくとも一つの定置部品を設け、マット構造を折り畳む場合、該定置部品は、第二或いは第三マットの台座構造を位置づけし、
上述の構造を介し、本体は安全に座る及び寝ることができることを特徴とする椅子兼寝椅子の構造。
【請求項２】
該第二マットの台座構造にサポートレッグを設置することを特徴とする請求項1記載の椅子兼寝椅子の構造。
【請求項３】
該第三マットの台座構造にレッグを設置することを特徴とする請求項1記載の椅子兼寝椅子の構造。
【請求項４】
前記台座構造に調整装置を設け、該調整装置にプレスバー及び、プレスバーと組み合わせて作動する昇降体、昇降体の滑車台を含み、該調整装置を介し、本体の高さを調整することを特徴とする請求項1記載の椅子兼寝椅子の構造。
【請求項５】
前記定置部品は栓及びボタンを設置することを特徴とする請求項1記載の椅子兼寝椅子の構造。
【請求項６】
該第一マットの底面にストッパー部品を設けることを特徴とする請求項1記載の椅子兼寝椅子の構造。
【考案の詳細な説明】
【技術分野】
【０００１】
本考案は椅子兼寝椅子の構造に関し、その技術の特徴は座る或いは寝ることのできる多用途な椅子兼寝椅子の構造に関する。
【背景技術】
【０００２】
千年以上も前に椅子は発明され、構造外観の変化のほか、数度用途の沿革を経ている。現存する史料を見ると、古代ローマでは、貴族が食事するときは椅子に座らず、寝椅子のような長椅子にゆったりと腰掛、使用人が食べさせていた。椅子にしっかりと座るのは婦女或いは奴隷のみであった。遥か昔から、椅子は人がもたれたり、座ったり、或いは寝たりする多様な用途を具有し、身分や地位の現れでもある。現在の民主主義社会では、椅子はどの家庭でも購入のできる家具となったため、身分や地位を現す役割は次第になくなっているが、その用途は日増しに広くなっている。例えばロッキングチェア、寝椅子、手すり付椅子、背もたれ付椅子など種類が多く、それぞれの特徴を持っている。公知の特許申請案第M301593号の「オフィス椅子の改良」では、その椅子のマット下方に胡蝶盤２を具有し、該胡蝶盤２の底部に気圧棒を設置する。該気圧棒を第一の筒の中に挿入する。第一の筒の外壁にねじ山を設け、椅子の台の中間結合穴の中に、第二の筒を固定する。第二の筒の内壁にねじ山を設け、第一の筒のねじ山と対応して螺合する。該椅子は必要に応じて高さを調整することができ、オフィス、図書館、会議室、レストラン、家庭など様々な場所で使用することができる。また、公知の特許申請案第M310646号の「レジャー椅子」では、台を設け、該台に相連接する上下のマットを設け、昇降する部品による高さ調整、上部マットの傾斜度を調整することができるため、快適感は一般の椅子より勝り、休憩、或いは寝るときに用いられる。上述の二例で分かるように、現在椅子の種類は確かに多く、用途も千変萬化である。
【０００３】
しかし、公知の椅子がさまざまな場で使用されていると言えども、単純な用途に限られている。また、椅子は安価な商品でもなく、しかも高質感や快適さに耐用性と美観など、ハイクォリティな規格を持つ椅子は大変高価なものである。単一の用途のみ具有する椅子は、次第に現代人の多元的なニーズを満足することができなくなっている。一人のサラリーマンが仕事のために連夜残業し、体力が続かなくなった場合を想定しよう。少し眠ることで体力を回復しようと思うものなら、そのまま床にねそべるか、別途寝椅子を用意しなければ、寝て休憩することができない。また、家で本を見て疲れた時、少し休みたくても、机に伏せて寝るか、寝室に戻るしか方法がない。よって、従来の椅子が単一の用途のみ具有するのは、ユーザーが不快適と不便をもたらすものでしかなくなりつつあるため、上述の技術を改善する必要があった。
【特許文献１】台湾特許申請案第M301593号明細書
【特許文献２】台湾特許申請案第M310646号明細書
【考案の開示】
【考案が解決しようとする課題】
【０００４】
前記公知構造の欠点を解決するため、本考案は椅子マットを第一マット、第二マット及び第三マットの3つの構造を設置し、該第二マットは第一及び第三マットと連結し、連結場所を軸として第一、第二、第三マットを折り畳む或いは伸展して広げることのできる椅子兼寝椅子の構造を提供することを主な課題とする。
【課題を解決するための手段】
【０００５】
前記課題を解決するため、該マット構造は第一、第二、第三マットの底面の適切な位置に、少なくとも一つの台座構造を設置し、該台座構造はマット構造をサポートし、重さに耐えられるサポートレッグ或いはレッグ、或いは調整台、寝椅子の高さの調整装置などを設ける。該サポートレッグ及びレッグはいずれも折り畳めるものであり、該調整装置はプレスバー、プレスバーと組み合わせて作動する昇降体、及び昇降体と連結する滑車台から構成している。
【０００６】
また、該マット構造の第一マットの底面に少なくとも一つの定置部品或いは一つのストッパー部品を設ける。該定置部品は栓とボタンを含み、該ボタンより栓をコントロールする。マット構造を折り畳んで収納する際、該定置部品とストッパー部品により、第二或いは第三マットに設ける台座構造を定置付けし、本体を椅子の形状に保つ。マット構造を伸展して広げる場合、まず定置部品或いはストッパー部品の第二或いは第三マットに設ける台座構造の制限を解除することで、第一、第二及び第三マットを180度伸展して寝椅子の形状にする。
【考案の効果】
【０００７】
本考案は従来技術の単独用途のみ具有する椅子と異なり、安全に座る、及び寝ることのできる多用途の機能を備えることで、疲れたときには、その場で寝椅子に形状を変えて休むことのできる、一つの椅子に多くの機能を具有する椅子兼寝椅子の構造であり、実用且つ経済的なものである。
【考案を実施するための最良の形態】
【０００８】
本考案は椅子兼寝椅子の構造に関し、図1〜図4に示すのは、本体1にマット構造10を含み、該マット構造10は第一マット11、第二マット12及び第三マット13を設け、該第二マット12は第一及び第三マット11、13を連結し、本実施例では、該マット構造10は各マットの連接場所に回転軸14を形成し、該回転軸14を利用し、それぞれ第一、第二、第三マット11、12、13を折り畳む或いは伸展して広げる。また、該マット構造10は第一、第二、第三マット11、12、13の底面に台座構造20を設置する。該第一マット11の底面にある台座構造20は調整装置21を設け、該調整装置21はプレスバー211及びプレスバー211と組み合わせて作動する昇降体212、昇降体212と連結する滑車台213を含む。該第二マット12の底面にある台座構造20にサポートレッグ22を設け、第三マット13の底面にある台座構造20にレッグ23を設ける。また、該第一マット11の底面に別途定置部品111及びストッパー部品112を設け、該定置部品111は可動式の栓1111及びボタン1112を含む。
【０００９】
該マット構造10の中、該第一、第二マット11、12はL字型に折り畳むことができ、第一マット11がシート、第二マット12が背もたれとなる。第三マット13は第二マット12の底面に折り畳み、互いの底面が隣接し、該サポートレッグ22は第二、第三マット12、13の間に挟まれる。該レッグ23を第一マット11の底面の下に設置し、第一マット11の底面両サイドにある定置部品111の栓1111によって動きを制限する。該レッグ23の別端はストッパー部品112によって固定するなど、3つの場所で該レッグ23を第一マット11の底面に位置づけすることで、本体1安心して使用できる椅子の形態を呈する。
【００１０】
図5〜図9に示すのは、本体1を寝椅子として使用する際、定置部品111のボタン1112を押し、同時に栓1111を引っ張り、第一マット11の底面内側に移動し、同時に第一マット11を第二マット12に向かってやや折り曲げることで、定置部品111とストッパー部品112のレッグ23に対する制限を解除する。次に第三マット13とレッグを引っ張り出し、回転軸14を介し、第二マット12と第三マット13を伸展して広げることで、連帯してサポートレッグ22を第二マット12及び第三マット13の間に展開するため、該第一、第二及び第三マット11、12、13は水平に広げることができる。第一マット11の底面にあるストッパー部品112を第二マット12の底面にある穴121に固定し、調整装置21、サポートレッグ22及びレッグ23を支えるポイントとすることで、本体1は図8、図9に示すように、寝椅子の形態を成す。
【００１１】
本体1を椅子として使用する際、必要に応じて、調整装置21が第一マット11を支え、その重さを受ける。プレスバー211を操作し、昇降体212を微調整して椅子を適切な高さに調整する。
【００１２】
本体を寝椅子として使用する際、調整装置21、サポートレッグ22及びレッグ23でマット構造10の重さを支える。また、お好みで調整装置21で調整し、頭部や腰或いは足の置く位置を変えることで、快適な姿勢で使うことができる。使用後椅子に戻る場合、図9から図1の逆の順序で、本体1を寝椅子から椅子に戻す。
【００１３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００１４】
【図１】本考案の椅子兼寝椅子構造の外観立体略図である。
【図２】本考案を折り畳んで椅子の形態にした局部状態略図である。
【図３】本考案のストッパー部品が骨組みを固定した局部状態略図である。
【図４】本考案の定置部品が骨組みを固定した状態の略図である。
【図５】本考案の定置部品が骨組みとの固定を解除した状態の略図である。
【図６】図5の局部拡大略図である。
【図７】本考案を伸展し、広げた状態の略図である。
【図８】本考案を完全に伸展し、180度広げて寝椅子にした状態の略図である。
【図９】本考案を寝椅子として使用する際の状態略図である。
【符号の説明】
【００１５】
1  本体
10  マット構造
11  第一マット
111  定置部品
1111  栓
1112  ボタン
112  ストッパー部品
12  第二マット
121  穴
13  第三マット
14  軸
20  台座構造
21  調整装置
211  プレスバー
212  昇降体
213  滑車台
22  サポートレッグ
23  レッグ
【図１】
0003139261.tif 000003
【図２】
0003139261.tif 000004
【図３】
0003139261.tif 000005
【図４】
0003139261.tif 000006
【図５】
0003139261.tif 000007
【図６】
0003139261.tif 000008
【図７】
0003139261.tif 000009
【図８】
0003139261.tif 000010
【図９】
0003139261.tif 000011